(57)【要約】      （修正有）【課題】構造が実用性を備え、接合が強固で電磁誘導発熱の効果が優れているアルミ製の調理器具の複合鍋底を提供する。【解決手段】アルミ製鍋底に電磁誘導発熱板が複合固定化されるアルミ製の調理器具の複合鍋底において、電磁誘導発熱板は、上面板１と下面板があり、上面板に多数の開口が分布され、下面板の上の表面に上面開口と対応し、尚且つその開口の差込部を貫通する下面差込縁２．２がプレスしてあり、上面板と下面板を重ね合わせ、プレス成形により少なくとも下面板における下面差し込み縁を鍋底の底部内に挿入することにより、電磁誘導発熱板をアルミ製の調理器具の底部に複合固定化させる。【選択図】図３
2010284497.tif 000002
【特許請求の範囲】
【請求項１】
アルミ製鍋底に電磁誘導発熱板が複合固定化されるアルミ製の調理器具の複合鍋底において、電磁誘導発熱板は、上面板と下面板があり、上面板に多数の開口が分布され、下面板の上の表面に上面開口と対応し、尚且つその上面開口の差込部分を貫通する下面差し込み縁が形成してあり、上面板と下面板を重ね合わせ、プレス成形により少なくとも下面板における下面差し込み縁を鍋の底部内に挿入することにより、電磁誘導発熱板をアルミ製の調理器具の底部に複合固定化させることを特徴とするアルミ製の調理器具の複合鍋底である。
【請求項２】
前記上面板には上面開口を打抜くとともに、上面開口の縁に上向きの上面差し込み縁を形成し、下面板の下面差し込み縁が少なくとも上面開口の上面差し込み縁内側に嵌入し、下面差し込み縁と上面差し込み縁とを鍋の底部内に挿入することを特徴とする請求項１に記載のアルミ製の調理器具の複合鍋底。
【請求項３】
前記下面板の下面差し込み縁は、上面差し込み縁内側の上面開口に嵌入し、さらに上面開口を開口周囲の上面差し込み縁を越えて貫通することを特徴とする請求項２に記載のアルミ製の調理器具の複合鍋底。
【請求項４】
前記下面板の下面差し込み縁は孔抜き成形により形成して、下面穿孔部の両側に分布され、それに対応して、上面板における隣接する上面開口における上面差し込み縁の間の部位がほぼ下面板の下面差し込み縁の間の下面穿孔部を充填・遮蔽し、上面開口がほぼ下面板における隣接する下面穿孔部における下面差し込み縁及びそれらの間の部位に充填・遮蔽されることにより、上面板と下面板を、ほぼ平坦で、格子模様が分布されている一体的な電磁誘導発熱板に複合させることを特徴とする請求項３に記載のアルミ製の調理器具の複合鍋底。
【請求項５】
前記上面差し込み縁は環状の周囲片又は複数の側部片から構成されることを特徴とする請求項２〜４のいずれかに記載のアルミ製の調理器具の複合鍋底。
【請求項６】
前記上面板及び下面板を、正方形、長方形、円形又は楕円形とすることを特徴とする請求項２〜４のいずれかに記載のアルミ製の調理器具の複合鍋底。
【請求項７】
前記上面開口を正方形、長方形、扇形又は正六角形とし、それに対応して、下面穿孔部を正方形、長方形、扇形又は正六角形とすることを特徴とする請求項４に記載のアルミ製の調理器具の複合鍋底。
【請求項８】
前記上面開口及び下面穿孔部を互いに適合する碁盤目状配列又は環状配列とすることを特徴とする請求項７に記載のアルミ製の調理器具の複合鍋底。
【請求項９】
前記調理器具底は、複合された後、下面板が調理器具底と面一になるように、予め上面板と下面板の形状及び厚さに適合する凹部を形成しておくことを特徴とする請求項８に記載のアルミ製の調理器具の複合鍋底。
【請求項１０】
前記上面板と下面板は形状が同じで、下面板はサイズが上面板より大きく、前記調理器具底は、複合された後、下面板が調理器具底と面一になるように、予め下面板の形状と上下面板の厚さに適合する凹部を形成しておくことを特徴とする請求項８に記載のアルミ製の調理器具の複合鍋底。
【発明の詳細な説明】
【技術分野】
【０００１】
本発明は調理器具に関し、特にアルミ製の調理器具の複合鍋底に関する。
【背景技術】
【０００２】
アルミニウムは磁性材料ではないので、従来のアルミ製の調理器具は電磁調理器に使用されない。この現状に対して、例えば、既存のアルミ製の調理器具底に１層のステンレス製の底面を複合させ、そのステンレス底面を鍋底に溶接してなるアルミ製の調理器具の複合鍋底が市場に登場した。しかし、このようなアルミ製の調理器具の複合鍋底は、加工工程が煩雑で、ステンレス鋼板をアルミ製の鍋の底部に溶接する必要があり、またその溶接は専用バンプ（突起電極）が必要であり、そのうえ、鍋底表面の光滑度と清潔度に影響があり、溶接のコストも高いなどの欠点がある。また、「アルミ製の調理器具の複合鍋底」という中国実用新案特許ＺＬ０２２１７０６３.４(公開番号ＣＮ２５４４６５４Ｙ)には、アルミ製の鍋底の底部に鋼板が複合される構造において、鋼板の表面に複数の貫通穴を打抜き、その鋼板をアルミ製の鍋の底部に貼り合わせて冷間プレスを行い、アルミ製の鍋底のアルミニウムを変形させてから鋼板における貫通穴内に押し入れるとともに、貫通穴の貫通穴縁をアルミ製の調理器具の鍋底のアルミ本体内に押し込み、アルミ本体としっかり一体化することで、鋼板をアルミ製の鍋の底部に複合固定化させることを特徴とする構造が開示されている。この複合鍋底は、加工しやすく、コストが低く、接合が比較的に強固であるなどの利点があるが、単層の電磁誘導発熱板であるので、発熱効果が好ましくなく、接合もそれほど強固なものではない。また、上記アルミ製の調理器具の複合鍋底は、薄い鋼板しかアルミ製の調理器具の鍋底に押し入れることができず、そうでなければ、鋼板が厚すぎて、その貫通穴縁を平たい鍋底に押し込みにくくなるので、その応用がある程度限定される。そのため、「アルミ製の調理器具の複合鍋底」という中国特許２００５２０１０２０２５９.１には、構造が簡単で加工しやすく、鋼板が調理器具底とより強固に接合されるアルミ製の調理器具の複合鍋底が提案されている。しかし、従来の複合調理器具底には、調理器具の複合底面があまり光滑平坦ではなく、また、貫通穴の打ち抜き及び冷間プレスのため、電磁誘導発熱板が厚く製作できないので、電磁誘導発熱の効果が影響されてしまう欠点があり、そのため、構造設計をさらに改良することが求められている。
【先行技術文献】
【特許文献】
【０００３】
【特許文献１】中国実用新案特許  公開番号  ＣＮ２５４４６５４Ｙ
【０００４】
【特許文献２】中国特許  出願番号  ２００５２０１０２０２５９.１
【発明の開示】
【発明が解決しようとする課題】
【０００５】
本発明は上述した従来技術の現状に対し、構造が実用性を備え、接合が強固で電磁誘導発熱の効果が優れているアルミ製の調理器具の複合鍋底を提供することを目的とする。
【課題を解決するための手段】
【０００６】
上述した技術課題を解決するために、本発明に係る技術手段は、アルミ製鍋底に電磁誘導発熱板が複合固定化されるアルミ製の調理器具の複合鍋底において、電磁誘導発熱板は、上面板と下面板があり、上面板に多数の開口が分布され、下面板の上の表面に上面開口と対応し、尚且つその上面開口の差込部分を貫通する下面差し込み縁が形成してあり、上面板と下面板を重ね合わせ、プレス成形により少なくとも下面板における下面差し込み縁を鍋の底部内に挿入することにより、電磁誘導発熱板をアルミ製の調理器具の底部に複合固定化させることを特徴とするアルミ製の調理器具の複合鍋底である。
【０００７】
その改良として、上記上面板には上面開口を打抜くとともに、上面板の上面開口の縁に上向きの上面差し込み縁を形成し、下面板の下面差し込み縁が少なくとも上面開口の上面差し込み縁内側に嵌入し、下面差し込み縁と上面差し込み縁とを鍋の底部内に挿入して、上面差し込み縁と下面差し込み縁との共同接合作用により、接合の強固性を大きく向上させる。
【０００８】
その更なる改良として、上記下面板の下面差し込み縁は、上面差し込み縁内側の上面開口に嵌入し、さらに上面開口を、開口周囲の上面差し込み縁を越えて貫通することにより、接合の強固性をさらに向上させる。
【０００９】
さらに、その更なる改良として、上記下面板の下面差し込み縁は孔抜き成形により形成して、下面穿孔部の両側に分布され、それに対応して、上面板の隣接する上面開口における上面差し込み縁の間の部位がほぼ下面板の下面差し込み縁の間の下面穿孔部を充填・遮蔽し、上面開口がほぼ下面板における隣接する下面穿孔部における下面差し込み縁及びそれらの間の部位に充填・遮蔽されることにより、上面板と下面板を、ほぼ平坦で、格子模様が分布されている一体的な電磁誘導発熱板に複合させ、そのため、美観と実用性を兼ねており、鍋底が平坦に見える効果が得られ、装飾性が良く、様式が独特で、また電磁誘導発熱板の面積が増大されて、電磁誘導発熱の效果を大きく向上させる。
【００１０】
上記上面差し込み縁は環状の周囲片又は複数の側部片から構成されることが好ましい。
【００１１】
上記上面板及び下面板は正方形、長方形、円形又は楕円形とすることが好ましい。
【００１２】
上記上面開口を正方形、長方形、扇形又は正六角形、それに対応して、下面穿孔部は正方形、長方形、扇形又は正六角形とすることが好ましい。
【００１３】
上記上面板の上面開口及び下面穿孔部は電磁誘導発熱板が均等に力を受けるように、互いに適合する碁盤目状配列又は環状配列とする。
【００１４】
上記鍋底は、複合された後、下面板が鍋底と面一になるように、予め上面板と下面板の形状及び厚さに適合する凹部を形成しておく。
【００１５】
又は、上記上面板と下面板は形状が同じで、下面板はサイズが上面板より大きく、鍋底は、複合された後、下面板が調理器具底と面一になるように、予め下面板の形状と上下面板の厚さに適合する凹部を形成しておく。
【発明の効果】
【００１６】
従来技術に比べると、本発明においては、上面板と下面板とからなる電磁誘導発熱板を使用することにより、全体の厚さと面積を増加させることができ、電磁誘導発熱の效果が改善され、変形しにくくなる。また、上面差し込み縁と下面差し込み縁とを合わせる構造を採用して接合を行うことにより、下面差し込み縁と上面差し込み縁が更に鋭く（発熱板の全体が同じ厚さである場合）鍋底に挿入しやすくなり、接合が非常に強固で安定し抜けにくくなる。さらに、装飾用の格子模様を多様化することができ、外観が平坦で、美観と実用性を兼ねており、生産性が高い。
【図面の簡単な説明】
【００１７】
【図１】図１は実施形態１に係る長方形状の上面板を示す斜視図である。
【図２】図２は実施形態１に係る長方形状の下面板を示す斜視図である。
【図３】図３は実施形態１に係る長方形状の複合化された電磁誘導発熱板を示す斜視図である。
【図４】図４は実施形態１に係る長方形状の複合化された電磁誘導発熱板を示す斜視図である。
【図５】図５は実施形態１に係る長方形状の複合化された電磁誘導発熱板を示す部分断面拡大図である。
【図６】図６は実施形態２に係る円形状の上面板を示す斜視図である。
【図７】図７は実施形態２に係る円形状の下面板を示す斜視図である。
【図８】図８は実施形態２に係る円形状の複合化された電磁誘導発熱板を示す斜視図である。
【図９】図９は実施形態２に係る円形状の複合化された電磁誘導発熱板を示す斜視図である。
【図１０】図１０は実施形態２に係る円形状の複合化された電磁誘導発熱板を示す部分断面拡大図である。
【図１１】図１１は実施形態３に係る円形状の上面板を示す斜視図である。
【図１２】図１２は実施形態３に係る円形状の下面板を示す斜視図である。
【図１３】図１３は実施形態３に係る円形状の複合化された電磁誘導発熱板を示す斜視図である。
【図１４】図１４は実施形態３に係る円形状の複合化された電磁誘導発熱板を示す斜視図である。
【図１５】図１５は実施形態３に係る円形状の複合化された電磁誘導発熱板を示す部分断面拡大図である。
【図１６】図１６は複合化された鍋を示す断面図である。
【発明を実施するための形態】
【００１８】
以下、図面及び実施形態に基づいて本発明をさらに詳しく説明する。
【実施例１】
【００１９】
図１〜図５に示すように、アルミ製の調理器具の複合鍋底は、アルミ製鍋底に電磁誘導発熱板が複合固定化される。この発明は、電磁誘導発熱板が上面板１と下面板２とがあり、両方ともステンレス鋼板又は鉄板より形成され、厚さが０.２〜１.０ｍｍ、辺長が５０〜３００ｍｍであることを特徴とする。この実施形態において、上面板１と下面板２は長方形状をしており、面積の大きさが一致し、また、必要に応じて、複合化する場合、周縁２ａを折り返して上面板１の四周側面に被覆して一体的な電磁誘導発熱板が形成されるように、下面板２を上面板１より周縁２ａ分大きくしてもよい。上面板１に４〜１０ｍｍの辺長の正方形状の上面開口１.１が分布され、上面板は、打抜き工程により上面開口１.１が打ち抜けられるとともに、上面開口１.１の縁に上向きの上面差し込み縁１.２が形成され、この上面差し込み縁１.２が正方形の四周の周縁より構成され、また上面差し込み縁１.２の高さが０.５〜２ｍｍあり、上面開口１.１が規則的な碁盤目状の配列を呈している。この実施形態は均一の分布配列を採用し、それに対応して、下面板２は打抜き工程によりその下面穿孔部２.１の両側に上向きの下面差し込み縁２.２が形成され、下面穿孔部２.１も長方形状をしており、下面差し込み縁２.２の高さは上面板１の上面差し込み縁１.２と等しいか又はそれより少々高く、下面板２の下面差し込み縁２.２は上面開口１．１を貫通し開口周囲の上面差し込み縁１．２と面一か、又は、それより０.１〜１ｍｍ高くなっている。下面差し込み縁２.２の長さが上面板の上面開口１.１の辺長と一致し、異なる下面穿孔部にある隣接する下面差し込み縁２.２の非対向面間の間隔Ａが上面開口１.１の辺長Ｂと一致し、下面差し込み縁２.２を上面開口１.１の側面にぴったりと接触するようにすることで、上面板１と下面板２を重ね合わせると、プレス成形により、下面板２における隣接する下面穿孔部の対になる下面差し込み縁２.２が上面板１の上面差し込み縁内の上面開口１．１を貫通し、下面差し込み縁２.２と上面差し込み縁１.２が鍋底の底部に挿入され、アルミニウム本体と一体となって、複合化することとなる。それと同時に、上面開口１.１と下面穿孔部２.１との組み合わせにより、上面板１における同じ並びの隣接する上面差し込み縁１.２の間の部位が下面板２における同じ並びの対向する差し込み縁２.２の間の下面穿孔部２.１を充填・遮蔽し、上面開口１.１が下面板における隣接する下面差し込み縁２.２及びそれらの間の部位に充填・遮蔽されることで、上面板１と下面板２とを、ほぼ平坦で、格子模様が分布されている一体的な電磁誘導発熱板に複合化させる。
【００２０】
さらに、鍋底は、複合化された後、下面板が鍋底と面一になるように、予め上面板と下面板の形状及び厚さに適合する凹部を成形しておいてもよい。
【実施例２】
【００２１】
図６〜図１０に示すように、アルミ製の調理器具の複合鍋底は底部に電磁誘導発熱板が複合固定化される。この発明は電磁誘導発熱板が上面板１と下面板２とがあり、両方ともステンレス鋼板又は鉄板より形成され、厚さが０.２〜１.０ｍｍ、直径が５０〜３００ｍｍであることを特徴とする。この実施形態において、上面板１と下面板２は円形状をしており、面積の大きさが一致し、また、必要に応じて、複合化する場合、周縁２ａを折り返して上面板１の四周側面に被覆して一体的な電磁誘導発熱板が形成されるように、下面板２を上面板１より周縁２ａ分大きくしてもよい。上面板１に４〜１０
ｍｍの辺長の正六角形状の上面開口１.１が分布され、上面板の上面開口１.１は打抜き工程により開口部を打抜くとともに、上面開口１.１の縁に上向きの上面差し込み縁１.２が形成され、上面差し込み縁１.２は正六角形状の周縁により構成され、上面差し込み縁１.２の高さが０.５〜１ｍｍあり、上面開口１.１は環状に中心から外へ配列しており、それに対応して、下面板２においては、打抜き工程により、その下面穿孔部２.１の両側に上向きの下面差し込み縁２.２が形成され、下面穿孔部２.１も長方形状をしており、下面差し込み縁２.２の高さが上面板の上面差し込み縁１.２と等しいか又はそれより少々高く、下面板２の下面差し込み縁２.２は上面開口１．１を貫通し開口周囲の上面差し込み縁１．２と面一か、又は、それより０.１〜１ｍｍ高くなっている。
【００２２】
下面差し込み縁２.２の長さが上面開口１.１の辺長と一致し、異なる穿孔部にある隣接する下面差し込み縁２.２の非対向面間の間隔が上面開口の最大間隔と一致し、下面差し込み縁２.２を上面開口の側面にぴったりと接触させて上面板１と下面板２を重ね合わせると、プレス成形により、下面板２における隣り合う対になる下面差し込み縁２.２が上面板１の上面差し込み縁１.２内を貫通し、下面差し込み縁２.２と上面差し込み縁１.２が鍋底の底部に挿入され、アルミニウムと一体となって、複合化することになり、それと同時に、上面開口１.１と下面穿孔部２.１との組み合わせにより、上面板１における隣接する上面差し込み縁１.２間の部位が下面板２の同じ輪にある対向する差し込み縁２.２の間の下面穿孔部を充填・遮蔽し、上面開口１.１が下面板における隣接する下面差し込み縁２.２及びそれらの間の部位に充填・遮蔽されることで、上面板１と下面板２を、ほぼ平坦で、格子模様が分布されている一体的な電磁誘導発熱板に複合化させる。
【００２３】
また、鍋底は、複合化された後、下面板が鍋底と面一となるように、予め上面板と下面板の形状及び厚さに適合する凹部を成形しておいてもよい。
【実施例３】
【００２４】
図１１〜図１５に示すように、アルミ製の調理器具の複合鍋底は、底部に電磁誘導発熱板が複合固定化される。この発明は電磁誘導発熱板が上面板１と下面板２とがあり、両方ともステンレス鋼板又は鉄板より形成され、厚さが０.２〜１.０ｍｍで、直径が５０〜３００ｍｍであることを特徴とする。この実施形態において、上面板１と下面板２は円形状をしており、面積の大きさが一致し、また、必要に応じて、複合化する場合、周縁２ａを折り返して上面板１の四周側面に被覆して一体的な電磁誘導発熱板が形成されるように、下面板２を下面板１より周縁２ａ分大きくしてもよい。上面板１に４〜１０
ｍｍの辺長の扇形の上面開口１.１が分布され、上面開口１.１は打抜き工程により開口部を打抜くとともに、開口１.１の縁に上向きの上面差し込み縁１.２が形成され、上面差し込み縁１.２は扇形四周の周縁より構成され、上面差し込み縁１.２の高さが０.５〜１ｍｍであり、上面開口１.１は環状に中心から外へ配列しており、それに対応して、下面板２は打抜き工程により、その下面穿孔部２.１の両側に上向きの下面差し込み縁２.２が形成され、下面穿孔部２.１も扇形形状をしており、下面差し込み縁２.２の高さは上面板１の上面差し込み縁１.２と等しいか又はそれより少々高く、下面板２の下面差し込み縁２.２は上面開口１．１を貫通し開口周囲の上面差し込み縁１．２と面一か、又は、それより０.１〜１ｍｍ高くなっている。
【００２５】
下面差し込み縁２.２の長さが上面開口１.１の側面辺長と一致し、異なる下面穿孔部にある隣接する下面差し込み縁２.２の非対向面間の間隔と形状が上面開口１.１の長さ及び形状と一致し、下面差し込み縁２.２が上面開口１.１の側面にぴったりと接触するようにすることで、上面板１と下面板２を重ね合わせると、プレス成形により、下面板２における隣り合う対になる差し込み縁２.２が上面板の上面開口を開口周囲の差込縁を越えて貫通し、下面差し込み縁２.２と上面差し込み縁１.２が鍋底の底部に挿入され、アルミニウムと一体となって、複合化することになり、それと同時に、上面開口１.１と下面穿孔部２．１との組み合わせにより、上面板１での隣の上面開口の隣接する上面差し込み縁１.２の間の部位が下面板２での同じ輪にある対向する下面差し込み縁２.２の間の下面穿孔部２.１を充填・遮蔽し、上面開口１.１が下面板における隣接する下面差し込み縁２.２及びそれらの間の部位に充填・遮蔽されることにより、上面板１と下面板２をほぼ平坦で、格子模様が分布されている一体的な磁気誘導発熱板に複合化させる。さらに、鍋底は、複合化された後、下面板が鍋底と面一になるように、予め上面板と下面板の形状及び厚さに適合する凹部を形成しておいてもよい。
【産業上の利用可能性】
【００２６】
本発明は、発熱効率が高くかつ接合性の強固な電磁誘導板を有する調理器具を提供するもので産業上の利用可能性が高い。
【符号の説明】
【００２７】
１        上面板
１．１    上面開口
１．２    上面差し込み縁
２        下面板
２．１    下面穿孔部
２．２    下面差し込み縁
２ａ      周縁
Ａ        隣接する下面差し込み縁の非対向面間の間隔
Ｂ        上面開口の辺長  
【図１】
2010284497.tif 000003
【図２】
2010284497.tif 000004
【図３】
2010284497.tif 000005
【図４】
2010284497.tif 000006
【図５】
2010284497.tif 000007
【図６】
2010284497.tif 000008
【図７】
2010284497.tif 000009
【図８】
2010284497.tif 000010
【図９】
2010284497.tif 000011
【図１０】
2010284497.tif 000012
【図１１】
2010284497.tif 000013
【図１２】
2010284497.tif 000014
【図１３】
2010284497.tif 000015
【図１４】
2010284497.tif 000016
【図１５】
2010284497.tif 000017
【図１６】
2010284497.tif 000018